(57)【要約】【課題】  本考案は、開き戸タイプのドアを自由なサイズ、自由なデザインに仕立てることができるドアの組み立てキットを提供することを目的とする。すなわち、ドアの縦横幅寸法を好みの寸法に自由に調整することができ、さらにドアのデザインを種々のタイプにアレンジすることも合わせて可能になるものである。【解決手段】  二本の縦ガマチと、複数枚のパネル板と、パネル板の数より一枚少ない枚数のパネル接続板と、複数本のスクリューネジと、接着剤と、埋め木とをセットにしたことを特徴とする。【選択図】  図５
0003116466.tif 000002
【実用新案登録請求の範囲】
【請求項１】
二本の縦ガマチと、複数枚のパネル板と、パネル板の数より一枚少ない枚数のパネル接続板と、複数本のスクリューネジと、接着剤と、埋め木とをセットにしたことを特徴とするドアの組み立てキット。
【請求項２】
二本のガラスホルダーを備えてなる請求項１記載のドアの組み立てキット。
【請求項３】
ガラス板又はアクリル板を備えてなる請求項２記載のドアの組み立てキット。
【請求項４】
縦ガマチに複数のネジ孔を予め穿設してある請求項１乃至３の何れかに記載のドアの組み立てキット。
【考案の詳細な説明】
【技術分野】
【０００１】
本考案は、開き戸タイプのドアを自由なサイズ、自由なデザインに仕立てることができるドアの組み立てキットに関するものである。
【背景技術】
【０００２】
従来、家屋用のドアとしては、縦横寸法が所定の規格に沿った複数種類の既製ドアが予め用意されており、この既製ドアの中から、必要とするドアを販売店で選択して購入するというスタイルが一般的であった。
特に家屋のリフォーム時には、既製ドアのデザイン形態に限定されずに、デザインを自由に変化させることのできるドアの出現が望まれていた。
【０００３】
【特許文献１】特開２００４−３６１０９号公報
【考案の開示】
【考案が解決しようとする課題】
【０００４】
上記特許文献１に記載されたパネルドア及びその組立方法は、面倒な把手を取り付けるための加工作業及び蝶番を取り付けるための加工作業を省略できるようにしたものであり、ドアの横幅寸法を調整することはできるが、ドアのデザインを種々のタイプにアレンジするというような対応はできないものであった。
【０００５】
本考案は、上記の全ての問題点を解消して、ドアのデザインを種々のタイプにアレンジできるようにしたドアの組み立てキットを提供せんとするものである。
【課題を解決するための手段】
【０００６】
上記目的を達成するために、請求項１記載の考案は、二本の縦ガマチと、複数枚のパネル板と、パネル板の数より一枚少ない枚数のパネル接続板と、複数本のスクリューネジと、接着剤と、埋め木とをセットにしたことを特徴とするドアの組み立てキットである。
【０００７】
請求項２記載の考案は、二本のガラスホルダーを備えてなる請求項１記載のドアの組み立てキットである。
【０００８】
請求項３記載の考案は、ガラス板又はアクリル板を備えてなる請求項２記載のドアの組み立てキットである。
【０００９】
請求項４記載の考案は、縦ガマチに複数のネジ孔を予め穿設してある請求項１乃至３の何れかに記載のドアの組み立てキットである。
【考案の効果】
【００１０】
以上述べたように、請求項１のドアの組み立てキットによれば、縦ガマチ及びパネル板の縦横寸法を好みの寸法にカットして調整することで、あらゆる設置場所に適合できる自由規格のドアが完成し、各パネル板間にはパネル接続板を配設することで組み立てドアでありながら一枚もののパネル板と同様に隙間のない強度の高いパネル板が完成し、スクリューネジと接着剤と埋め木とでさらに完成度の高いドアが得られるという効果がある。
【００１１】
また請求項２及び３のドアの組み立てキットによれば、ガラス板又はアクリル板をパネル板の好みの位置に設置できるようになるため、デザインの変化に富んだドアが得られるという効果がある。
【００１２】
さらに請求項４のドアの組み立てキットによれば、縦ガマチに複数のネジ孔を予め穿設したので、このネジ孔に前記スクリューネジを簡単に差込めるようになり、ついでこれをネジ締めすることで縦ガマチとパネル板の一体性を確保でき、一層強度に優れたドアが完成するという効果がある。
【考案を実施するための最良の形態】
【００１３】
以下添付図面に基づいて、本考案に係るドアの組み立てキットの実施例を詳説する。
図１は本考案のドアの組み立てキットの組み立て完成斜視図、図２は前図のＡ−Ａ線断端面図、図３は同Ｂ−Ｂ線断面図、図４は組み立て途中の作業状態を示す斜視図、図５の（ａ）、(ｂ)、（ｃ)は組立工程の過程を示す参考図、図６は組み立て完成状態を示す斜視図、図７は前図のＣ−Ｃ線断端面図、図８はガラス板を組み込む場合の組み立て途中の作業状態を示す斜視図、図９はガラス板の位置を変えた場合の組み立て途中の作業状態を示す斜視図である。
【実施例１】
【００１４】
本考案のドアの組み立てキットは、左右一対の縦ガマチ１，２と、この縦ガマチ１，２間に横長状に縦方向に複数枚（図１の実施例では、１０枚）並べてドアの本体を構成するパネル板３と、このパネル板３の間に隙間を塞ぐ目的で設置されるパネル接続板４と、埋め木６、スクリューネジ７、接着剤８とで構成されている。
【００１５】
さらに必要に応じてセットされるか、あるいは別途購入して使用することになるガラス板（アクリル板を含む）５を含む場合もあり、さらに前記縦ガマチ１，２の外面側壁にはネジ孔９が穿設されることもある。
またこの縦ガマチ１，２の内面側壁には、縦方向に伸びるはめ込み溝１０が形成されており、このはめ込み溝１０内にはパネル板３の左右両端がはまり込むように組み立てられる。
【００１６】
このような構成からなる本考案のドアの組み立てキットは、まず縦ガマチ１，２の高さ寸法を希望するドアの高さ寸法となるようにカットし、かつ縦ガマチ二本分の幅寸法とパネル板３の幅寸法の合計寸法が希望するドアの幅寸法になるようにパネル板３及びパネル接続板４の幅寸法をカットする。
上記のカットに際しては、各部の直角が確保されるよう十分に注意してカットする必要がある。
【００１７】
ここで具体的数字で説明すると、高さ寸法が１９００ｍｍのドアを希望する場合には、縦ガマチの縦寸法を１９００ｍｍ（元は２０００ｍｍ程度に形成してある）にカットし、必要に応じて蝶番取付部の掻き取り加工を施す。
また幅寸法が７００ｍｍのドアを希望する場合には、縦ガマチ１，２の幅寸法は例えば１２０ｍｍに設定されているから、前記はめ込み溝１０の深さ寸法が１５ｍｍであるとすれば、左右の縦ガマチ１，２の合計の実効幅寸法は２１０ｍｍとなり、希望するドアの幅寸法７００ｍｍ−２１０ｍｍ=４９０ｍｍという計算結果から、パネル板３及びパネル接続板４の幅寸法は４９０ｍｍ（元は６００ｍｍ程度に形成してある）にカットすればよいということになる。
【００１８】
上記のように好みの寸法にカットされたキットを組み立てる手順を図５に基づき説明する。
まず二本の縦ガマチ１，２を平行状に並べ、その間にパネル板３を配設し、そのパネル板３の両端を縦ガマチの内面側壁のはめ込み溝１０にはめ込み、つぎに別のパネル板３を同様に順次はめ込んでゆくが、各パネル板３の間にはパネル接続板４を配設し、そのパネル接続板４の両端も縦ガマチのはめ込み溝１０にはめ込んでいく（図５ａ参照）。
なお、パネル板３の上下端にも、はめ込み溝１０が形成されており、パネル接続板４はこのはめ込み溝１０にはめ込まれるようにして取り付けられる。
【００１９】
上記の組み立てに際しては、縦ガマチ１，２と、パネル板３と、パネル接続板４の各部間に接着剤８を塗布して、隙間なく位置を決めていく（図５ｂ参照）。
この接着剤８の塗布に際しては、使い古しの歯ブラシなど適宜のブラシを利用しながら、接続箇所を満遍なく塗布し、特にはめ込み溝１０からはみ出さないように注意しながら行なうが、組み立て後に接着剤８がはみ出している場合には、ブラシに水を浸してよく洗い流し、その後雑巾できれいにふき取る必要がある。
【００２０】
最後にパネル板３の全てが組み立てられたら、各縦ガマチ１，２に予め穿設したネジ孔９にスクリューネジ７を差し込んでネジ締めして、縦ガマチとパネル板との連結を強固にする（図５ｃ参照）。ここでスクリューネジ７は、パネル板３の全てに対応する必要はなく、適宜間隔を存して必要な本数のスクリューネジ７を螺着すれば足りる。
ついで前記ネジ孔９には、短く切断した丸棒状の埋め木６をあてがい、埋め木６の突出部が残った際には、余分な箇所を切り落とし、その部分にサンドペーパーをかけて平滑面に仕上げて完成させる。
【実施例２】
【００２１】
ついで、図６乃至図９に示した実施例２について説明すると、実施例１におけるパネル板３の一部をガラス板５に変えたものが実施例２であり、ドア越しに向こう側の明るさの状況などが理解できるような箇所に使用すると好適となるものである。
ここでガラス板５とは、ガラス板を代表とする意味の名称であり、その素材は他の類似する材質例えばアクリル板に変えることももちろん可能である。
【００２２】
ガラス板５の取り付けに際しては、ガラスホルダー１１を用意する必要があり、このガラスホルダー１１の高さ寸法はガラス板５の高さ寸法に合わせる必要があり、ガラスホルダー１１の内面側壁にも前記と同様のはめ込み溝１０が形成されているため、ガラス板５の両端部はガラスホルダー１１のはめ込み溝１０にはめ込まれ、ガラス板５の上下端部は上下方向に並ぶ他のパネル板３のはめ込み溝１０にはめ込まれる。
なお、ガラスホルダー１１は、縦ガマチ１，２のはめ込み溝１０に収まるように構成しておくと使いやすいものとなる。
このようにしてガラス板５を、ドアの好みの位置にセットすることで、自由なデザインのドアを完成させることが可能となる。
【産業上の利用可能性】
【００２３】
本考案のドアの組み立てキットは、ドアの供給業者の業界において、特に利用することが可能である。
【図面の簡単な説明】
【００２４】
【図１】本考案のドアの組み立てキットの組み立て完成斜視図である。
【図２】前図のＡ−Ａ線断端面図である。
【図３】同Ｂ−Ｂ線断面図である。
【図４】組み立て途中の作業状態を示す斜視図である。
【図５】（ａ）、(ｂ)、(ｃ)は組立工程の過程を示す参考図である。
【図６】組み立て完成状態を示す斜視図である。
【図７】前図のＣ−Ｃ線断端面図である。
【図８】ガラス板を組み込む場合の組み立て途中の作業状態を示す斜視図である。
【図９】ガラス板の位置を変えた場合の組み立て途中の作業状態を示す斜視図である。
【符号の説明】
【００２５】
１、２…縦ガマチ
３…パネル板
４…パネル接続板
５…ガラス板
６…埋め木
７…スクリューネジ
８…接着剤
９…ネジ孔
１０…はめ込み溝
１１…ガラスホルダー
【図１】
0003116466.tif 000003
【図２】
0003116466.tif 000004
【図３】
0003116466.tif 000005
【図４】
0003116466.tif 000006
【図５】
0003116466.tif 000007
【図６】
0003116466.tif 000008
【図７】
0003116466.tif 000009
【図８】
0003116466.tif 000010
【図９】
0003116466.tif 000011